(57)【要約】【課題】コミュニケーション相手の詳細なプレゼンス情報を、クライアント装置のユーザに提供するサーバ装置を提供する。【解決手段】クライアント装置と接続されたサーバ装置であって、クライアント装置のユーザの作業状態を表す作業情報を受信する受信部と、作業情報に応じた状態情報を含むプレゼンス情報を決定するプレゼンス情報決定部と、プレゼンス情報を記憶する記憶部と、クライアント装置から要求されたプレゼンス情報を記憶部から検索するプレゼンス情報検索部と、プレゼンス情報検索部により検索されたプレゼンス情報を、クライアント装置に送信する送信部と、を備える。【選択図】図２
2014044512.tif 000002
【特許請求の範囲】
【請求項１】
クライアント装置と接続されたサーバ装置であって、
前記クライアント装置のユーザの作業状態を表す作業情報を受信する受信部と、
前記作業情報に応じた状態情報を含むプレゼンス情報を決定するプレゼンス情報決定部と、
前記プレゼンス情報を記憶する記憶部と、
前記クライアント装置から要求された前記プレゼンス情報を前記記憶部から検索するプレゼンス情報検索部と、
前記プレゼンス情報検索部により検索された前記プレゼンス情報を、前記クライアント装置に送信する送信部と
を備えるサーバ装置。
【請求項２】
前記作業情報は、前記ユーザが操作するアプリケーションを特定する特定情報と、前記ユーザの単位時間当たりの操作量と、のうち少なくとも１つを含む
請求項１に記載のサーバ装置。
【請求項３】
前記プレゼンス情報決定部は、更に、前記クライアント装置から送信された前記ユーザの画像を含む前記プレゼンス情報を決定する、
請求項１又は２に記載のサーバ装置。
【請求項４】
前記プレゼンス情報決定部は、前記クライアント装置に、一定時間毎に前記ユーザの画像を要求する
請求項３に記載のサーバ装置。
【請求項５】
前記プレゼンス情報は、更に、ユーザが存在する場所を特定する場所情報を含み、
前記プレゼンス情報決定部は、更に、前記クライアント装置から送信されたユーザの位置情報に基づいて、前記場所情報を決定する、
請求項１乃至４のいずれか１項に記載のサーバ装置。
【請求項６】
前記クライアント装置から、他のユーザの映像と音声の送信要求を受信すると、前記送信部を介して、前記送信要求を送信した前記クライアント装置に、前記他のユーザの映像と音声を送信し、前記他のユーザのクライアント装置に、前記送信要求を送信したユーザの映像と音声を送信する動画制御部を更に備える、
請求項１乃至５のいずれか１項に記載のサーバ装置。
【発明の詳細な説明】
【技術分野】
【０００１】
本発明は、サーバ装置に関する。
【背景技術】
【０００２】
近年、電話やＦＡＸの他に、インターネット利用の普及により、電子メール、チャット、ボイスメール、ウェブ会議システム、それらの機能を統合したユニファイドコミュニケーション、及びＳＮＳが、遠隔地にいる相手とのコミュニケーションに利用されている。
【０００３】
遠隔地にいる相手とコミュニケーションを行うにあたり、メールやボイスメールは、相手の状況を気にする必要のないコミュニケーションツールであるが、時間がかかる上、相手の回答を迅速に知りたい場合や相手と議論をする場合には適さない。一方、リアルタイムな双方向のコミュニケーションである電話やウェブ会議システムは、相手との予定を合わせたスケジュール調整が必要である。
【０００４】
そこで、グループウェアやインスタントメッセージでは、自分のステータス（オンライン・オフライン等）を相手に知らせることにより、それを見た相手が必要に応じてコミュニケーションツールを使い分けることができるようにするためのプレゼンス機能が利用されている。
【０００５】
しかしながら、従来のプレゼンス機能は、相手がどのような状況（「在席中」「取り込み中」「外出中」など）にあるのかを表示するが、相手側が選択した数種類のアイコンやステータスによってその状態が表示できる程度であり、より詳細な実際の相手の状況を表現できていない。
【０００６】
一方、相手方のステータスの確認等の代わりに、相手方の様子を画像で確認する技術が知られている。例えば、特許文献１には、通信相手を呼び出す前に、通信相手の状況を、通信相手のプライバシーが配慮された解像度の画像情報で確認する技術が開示されている。しかしながら、この技術では、通信相手の作業状況等の詳細なプレゼンス情報を把握することは難しい。また、様子を伺われている相手は、誰に様子を見られているのか分からない。そのため、この技術では、次のようなコミュニケーション機会を逸失する。ここでは、説明のため、通信相手の様子を伺っている側をＡとし、様子を伺われている側をＢとする。Ａが、Ｂの様子を伺った結果、コミュニケーションを諦めたとする。しかしながら、Ｂは、Ａに様子を伺われている時に、作業を中断してでも、Ａとコミュニケーションしたいと考えている場合がある。この技術では、このような場合についてのＡとＢとの間のコミュニケーション機会を逸失する。
【０００７】
コミュニケーションを行う相手が近くにいれば、実際に、その状況を目や耳で確認した上で、話しかけることができる。しかし、遠隔地にいる相手とのコミュニケーションでは、従来のプレゼンス機能だけでは、相手の状況が分かりにくい。
【０００８】
そのため、遠隔地にいる相手とのコミュニケーションでは、相手の都合を考慮して、実際には、メール等のリアルタイム性の低いコミュニケーションツールが利用されることが多い。
【発明の概要】
【発明が解決しようとする課題】
【０００９】
しかしながら、ユーザが相手の都合を考慮して、メール等の一方的なコミュニケーションツールを多用しなければならない状況では、相手との十分なコミュニケーションが図れないという問題がある。
【００１０】
本発明は、上記に鑑みてなされたものであって、クライアント装置のユーザに、より適切なコミュニケーション方法の選択を可能にさせるサーバ装置を提供することを目的とする。
【課題を解決するための手段】
【００１１】
上述した課題を解決し、目的を達成するために、本発明は、クライアント装置と接続されたサーバ装置であって、前記クライアント装置のユーザの作業状態を表す作業情報を受信する受信部と、前記作業情報に応じた状態情報を含むプレゼンス情報を決定するプレゼンス情報決定部と、前記プレゼンス情報を記憶する記憶部と、前記クライアント装置から要求されたプレゼンス情報を前記記憶部から検索するプレゼンス情報検索部と、前記プレゼンス情報検索部により検索された前記プレゼンス情報を、前記クライアント装置に送信する送信部と、を備えたことを特徴とする。
【発明の効果】
【００１２】
本発明によれば、クライアント装置のユーザに、より適切なコミュニケーション方法の選択を可能にさせるという効果を奏する。
【図面の簡単な説明】
【００１３】
【図１】図１は、本実施の形態にかかるサーバ装置とクライアント装置の接続関係を示す図である。
【図２】図２は、本実施の形態にかかるサーバ装置の構成の一例を示すブロック図である。
【図３】図３は、本実施の形態にかかるサーバ装置の記憶部に記憶されるプレゼンス情報のテーブルのデータ構造の一例を示す図である。
【図４】図４は、本実施の形態にかかるクライアント装置の構成の一例を示すブロック図である。
【図５】図５は、本実施の形態にかかるプレゼンス情報の更新方法の一例を説明するためのシーケンス図である。
【図６】図６は、本実施の形態にかかるクライアント装置に表示するプレゼンス情報を検索するための検索画面の一例を示す図である。
【図７】図７は、本実施の形態にかかるクライアント装置におけるプレゼンス情報の表示の一例を示す図である。
【図８】図８は、本実施の形態にかかるクライアント装置における検索機能を備えたプレゼンス情報の画面表示の一例を示す図である。
【図９】図９は、本実施の形態にかかるサーバ装置とクライアント装置におけるウェブ会議の開始方法の一例を説明するためのシーケンス図である。
【図１０】図１０は、本実施の形態にかかるクライアント装置において、映像音声視聴ボタンが押下されたクライアント装置の画面表示の一例を示す図である。
【図１１】図１１は、本実施の形態にかかるクライアント装置において、映像音声視聴の対象となったクライアント装置の画面表示の一例を示す図である。
【図１２】図１２は、本実施の形態にかかるクライアント装置において、映像音声視聴の対象となったクライアント装置の画面表示が更新された場合の一例を示す図である。
【図１３】図１３は、本実施の形態にかかるサーバ装置のハードウェア構成の一例を示す図である。
【発明を実施するための形態】
【００１４】
以下に添付図面を参照して、サーバ装置及びクライアント装置の実施の形態を詳細に説明する。
【００１５】
図１は、本実施の形態にかかるサーバ装置１とクライアント装置２ａ〜２ｃの接続関係を示す図である。図１に図示されているように、サーバ装置１と、クライアント装置２ａ、クライアント装置２ｂ及びクライアント装置２ｃは、ネットワーク３を介して接続される。以下、クライアント装置２ａ〜２ｃを、区別する必要がない場合は、単にクライアント装置２と記載する。なお、ネットワーク３に接続されるクライアント装置２の台数は、任意の台数でよい。ネットワーク３は、インターネットや携帯電話網等である。サーバ装置１とクライアント装置２の通信手段は、有線であっても、無線であってもよい。
【００１６】
図２は、本実施の形態にかかるサーバ装置１の構成の一例を示すブロック図である。サーバ装置１は、プレゼンス情報決定部１１、記憶部１２、プレゼンス情報検索部１３、送信部１４、受信部１５、認証部１６及び動画制御部１７を備える。
【００１７】
プレゼンス情報決定部１１は、クライアント装置２のユーザの作業状態を表す作業情報を、受信部１５から受け取る。作業情報は、例えば、クライアント装置２のユーザが操作するアプリケーションを特定するための情報（以下、特定情報という。）や、ユーザの操作量等を含む。ユーザの操作量は、単位時間当たりのキータッチ数や、マウス操作等である。
【００１８】
プレゼンス情報決定部１１は、作業情報に基づいて、プレゼンス情報に含まれる状態情報（ステータス）を決定する。すなわち、まず、プレゼンス情報決定部１１は、特定情報とユーザの操作量から、ユーザが操作中のアプリケーションを特定する。次に、プレゼンス情報決定部１１は、特定されたアプリケーションの用途に基づいて、ユーザの状態情報（ステータス）を決定する。アプリケーションと、当該アプリケーションの用途に関する情報の対応は、例えばサーバ装置１の記憶部１２に記憶されている。このように、本実施の形態では、アプリケーションの用途（種類）、および、操作量に応じて異なるステータスを決定できるため、従来と比較して、通信相手のより詳細な状況を提供可能となる。
【００１９】
ここで、プレゼンス情報決定部１１が、状態情報（ステータス）を決定する例について説明する。例えば、文書作成用アプリケーションであることを示す特定情報と、１分単位のキータッチ数に関する所定の閾値を超えた操作量が、作業情報に含まれる場合には、プレゼンス情報決定部１１は、ユーザが文書作成用アプリケーションを用いて資料を作成していると判断する。プレゼンス情報決定部１１は、当該ユーザの状態情報（ステータス）を、「資料作成中」に決定する。
【００２０】
また、Ｗｅｂ会議用アプリケーションであることを示す特定情報と、音声の入力又は出力を示す操作量が、作業情報に含まれる場合には、プレゼンス情報決定部１１は、ユーザがＷｅｂ会議用アプリケーションを用いてＷｅｂ会議していると判断する。プレゼンス情報決定部１１は、当該ユーザの状態情報（ステータス）を、「Ｗｅｂ会議中」に決定する。
【００２１】
なお、特定情報と、ユーザの操作量に基づくユーザの状態情報（ステータス）の決定方法は、これらの方法に限られない。例えば、特定情報により、ユーザのアプリケーションを特定後、更に、ユーザの操作量に基づいて、同一のアプリケーションであっても、異なる状態情報（ステータス）を決定してもよい。
【００２２】
また、作業情報は、特定情報と、ユーザの操作量のうち少なくとも１つを含んでいればよい。例えば、１分単位のキータッチ数に関する所定の閾値を超えた操作量のみから、ユーザの状態情報（ステータス）を、「ＰＣ作業中」のように決定してもよい。
【００２３】
また、プレゼンス情報決定部１１は、特定情報と操作量の他に、後述するユーザの位置情報に基づいて、ユーザの状態情報（ステータス）を決定してもよい。例えば、プレゼンス情報決定部１１は、ユーザの位置情報から、ユーザが会議室にいることを特定し、ユーザの状態情報（ステータス）を、「会議中」に決定してもよい。
【００２４】
また、プレゼンス情報決定部１１は、クライアント装置２のユーザのユーザ画像を、受信部１５から受け取る。プレゼンス情報決定部１１は、ユーザ画像を、当該ユーザ画像に対応するユーザのプレゼンス情報に関連付ける。
【００２５】
また、プレゼンス情報決定部１１は、クライアント装置２のユーザの位置情報を受け取る。位置情報の詳細については、クライアント装置２の位置検知部２３の説明で後述する。プレゼンス情報決定部１１は、位置情報に基づいて、プレゼンス情報に含まれる場所情報を決定する。プレゼンス情報決定部１１は、位置情報を、そのまま場所情報に決定してもよい。また、プレゼンス情報決定部１１は、更に、位置情報を解析して得られた情報を、場所情報に決定してもよい。例えば、プレゼンス情報決定部１１は、位置情報がＧＰＳ等の座標データである場合には、座標データを解析して、建物等の名称として場所情報を決定してもよい。
【００２６】
記憶部１２は、プレゼンス情報を記憶する。図３は、本実施の形態にかかるサーバ装置１の記憶部１２に記憶されるプレゼンス情報のテーブルのデータ構造の一例である。プレゼンス情報は、ＩＤ、名前、所属、場所情報、ステータス、及び、映像・画像が含まれる。
【００２７】
ＩＤは、ユーザを識別する情報である。ＩＤには、ユーザが会社員の場合には、社員番号等が利用できる。一人のユーザが、複数のクライアント装置２を利用する場合には、機器種別ＩＤ等も合わせて管理する。名前は、ユーザの名前である。所属は、ユーザが所属するグループの名称である。
【００２８】
場所情報には、「本社会議室Ｄ」やＧＰＳの座標情報等が設定される。ステータスには、作業状態に応じて、プレゼンス情報決定部１１により決定された状態情報が設定される。映像・画像には、静止画像又は動画を関連付けるための情報（静止画像のファイル名、又は動画のファイル名等）が設定される。
【００２９】
プレゼンス情報検索部１３は、クライアント装置２の要求に基づいて、クライアント装置２で表示対象となる他のユーザのプレゼンス情報を検索する。例えば、プレゼンス情報検索部１３は、「所属＝営業部」等の条件を含む要求に従い、この条件を満たすプレゼンス情報を検索する。
【００３０】
送信部１４及び受信部１５は、クライアント装置２とのデータの送受信に利用される。送信部１４及び受信部１５のデータ送信手段は、有線であっても、無線であってもよい。
【００３１】
認証部１６は、クライアント装置２から送信されたユーザのログイン情報に基づいて、ユーザ認証処理を行う。ログイン情報は、ユーザのＩＤやパスワード等である。
【００３２】
動画制御部１７は、クライアント装置２のユーザ間で、Ｗｅｂ会議等のビデオ会議を行う場合に、映像、及び音声等のデータの送受信に関する制御を行う。
【００３３】
本実施の形態のサーバ装置１のプレゼンス情報決定部１１、プレゼンス情報検索部１３、送信部１４、受信部１５、認証部１６、及び動画制御部１７は、ＣＰＵ（Ｃｅｎｔｒａｌ  Ｐｒｏｃｅｓｓｉｎｇ  Ｕｎｉｔ）等の制御部にプログラムとして実行させること、すなわち、ソフトウェアにより実現してもよい。また、ＩＣ（Ｉｎｔｅｇｒａｔｅｄ  Ｃｉｒｃｕｉｔ）等のハードウェアにより実現してもよい。また、ソフトウェア及びハードウェアを併用して実現してもよい。
【００３４】
図４は、本実施の形態にかかるクライアント装置２の構成の一例を示すブロック図である。クライアント装置２は、入出力部２１、作業検知部２２、位置検知部２３、送信部２４、受信部２５、及び表示部２６を備える。
【００３５】
入出力部２１は、画像、映像、及び音声の入力及び出力を行う。例えば、入出力部２１は、ウェブカメラ、ディスプレー、マイク及びスピーカー等により構成される。入出力部２１は、ユーザの静止画及び映像等の取得、並びにウェブ会議等に利用される。
【００３６】
作業検知部２２は、クライアント装置２のユーザの作業情報を検知する。作業情報は、クライアント装置２でユーザが操作するアプリケーションを特定するための特定情報や、ユーザの操作量等を含む。
【００３７】
位置検知部２３は、クライアント装置２の位置情報を検知する。位置情報の検知方法の具体例について説明する。例えば、クライアント装置２がノートパソコンであり、電源からノートパソコンに電力が供給されている場合には、電力を供給しているコンセントの位置情報から、クライアント装置２の位置情報を検知する。また、クライアント装置２が社員証等のＩＤカードをリーダ装置にかざして使用するパソコン等の場合には、ＩＤカードをかざしたことにより、ユーザが該当のパソコンの位置にいることを検知する。また、クライアント装置２が、スマートフォンや携帯通信端末等のＧＰＳ機能を有する端末である場合には、ＧＰＳ機能を利用して、クライアント装置２の位置情報を検知する。また、ノートパソコンの位置情報の検知においても、ユーザが所持しているＧＰＳ機能を有する端末と、ノートパソコンが近距離通信できる場合には、当該ＧＰＳ機能の位置情報を利用して、ノートパソコンの傍にユーザがいることを検知してもよい。
【００３８】
送信部２４及び受信部２５は、サーバ装置１とのデータの送受信に利用される。送信部２４及び受信部２５のデータ送信手段は、有線であっても、無線であってもよい。
【００３９】
表示部２６は、画面に表示するための情報を表示する。例えば、サーバ装置１から送信された他のユーザのプレゼンス情報を表示する。表示部２６は、液晶画面等である。
【００４０】
本実施の形態のクライアント装置２の作業検知部２２、位置検知部２３、送信部２４、及び受信部２５は、ＣＰＵ等の制御部にプログラムとして実行させること、すなわち、ソフトウェアにより実現してもよい。また、ＩＣ等のハードウェアにより実現してもよい。また、ソフトウェア及びハードウェアを併用して実現してもよい。
【００４１】
クライアント装置２の具体例としては、デスクトップパソコン、ノートパソコン、スマートフォン、携帯通信端末、タブレット型端末、テレビ会議装置、又はポータルボックス等が挙げられる。
【００４２】
ポータルボックスとは、在宅勤務等による場合であっても、ユーザが疎外感を感じずに仕事ができるようにする装置である。ポータルボックスは、内部に机及び椅子が設けられており、内部の３６０度が有機ＥＬ等による表示画面となっている。また、ポータルボックスは、左右、前後に設けられたスピーカーを備えている。以下、ポータルボックスのユーザが、企業の従業員である場合について説明する。企業側には、３６０度を撮影する複数のカメラ、又は３６０度を一度に撮影することができる全周カメラが設けられている。また、企業側には、集音を行うマイクが、一つ又は複数個設けられている。企業は、撮影された情報や集音された音声情報を、ポータルボックスに送信する。ポータルボックスは、撮影された情報を、ポータルボックス内の表示画面に合わせて表示を整えて表示する。更に、ポータルボックスは送信された音声情報を、前後、左右に配置されたスピーカーから音声出力を行う。
【００４３】
これにより、ポータルボックスは、会社にいるかのような状況を、家やレンタルオフィス等の会社から離れた場所で、実現することができる。そのため、自宅等でデスクトップ型やノート型のパソコンを操作して、会社等にネットワーク接続して業務を行う場合に比べ、疎外感を生じずに仕事をすることができる。
【００４４】
図５は、本実施の形態にかかるプレゼンス情報の更新方法の一例を説明するためのシーケンス図である。クライアント装置２の送信部２４は、ログイン情報をサーバ装置１に送信する（ステップＳ１１）。
【００４５】
なお、クライアント装置２がユーザのログイン情報を取得する方法については、当業者が適宜決定してよい。例えば、クライアント装置２のユーザが、特定の企業の従業員である場合には、当該企業が提供するウェブ上のコミュニケーションポータルサービスサイトのログイン画面から、ユーザのログイン情報を受け付ける。このとき、詳細なプレゼンス情報の提供ができない場合を防ぐため、コミュニケーションポータルサービスへのログインに使用されるクライアント装置２に、入出力部２１が具備されていることを確認してもよい。すなわち、クライアント装置２に、入出力部２１が具備されていることを確認できた場合のみに、サーバ装置１により詳細なプレゼンス情報が、ユーザに提供される。
【００４６】
サーバ装置１の受信部１５は、クライアント装置２からログイン情報を受信する。サーバ装置１の認証部１６は、ユーザの認証処理を行う（ステップＳ１２）。ユーザ認証時に、サーバ装置１のプレゼンス情報決定部１１は、当該ユーザの自己のプレゼンス情報を更新するため、位置情報、作業情報、又はユーザ画像等のアップロード要求を、クライアント装置２に送信してもよい。
【００４７】
サーバ装置１のプレゼンス情報検索部１３は、ステップＳ１２の認証処理の後、どのようなユーザのプレゼンス情報を表示するかを検索するための画面を、クライアント装置２に送信する（ステップＳ１３）。図６は、本実施の形態にかかるクライアント装置２に表示するプレゼンス情報を検索するための検索画面の一例である。図６の例では、検索画面に、名前、所属、専門分野、及びキーワード検索の項目が表示されている。サーバ装置１のプレゼンス情報検索部１３は、記憶部１２から、検索条件に一致したプレゼンス情報を検索する。
【００４８】
なお、プレゼンス情報の検索は、プレゼンス情報のＩＤ等と関連付けられる他のテーブルを同時に参照することにより検索してもよい。例えば、専門分野は、図３に例示されたプレゼンス情報のテーブルのデータ構造の例では存在しない。そのため、まず、プレゼンス情報のＩＤ等に関連付けられた別のテーブルから専門分野を検索して、当該専門分野を有するＩＤを検索する。次に、当該ＩＤを有するプレゼンス情報を、プレゼンス情報のテーブルから検索する。同様に、キーワード検索についても、プレゼンス情報のテーブルに含まれないキーワードを、他のテーブルから検索し、最終的に、プレゼンス情報のテーブルから検索条件に合うプレゼンス情報を検索してもよい。
【００４９】
図５に戻り、クライアント装置２の送信部２４は、プレゼンス情報の表示対象となるユーザを指定する検索条件を、サーバ装置１に送信する（ステップＳ１４）。
【００５０】
サーバ装置１のプレゼンス情報検索部１３は、ステップＳ１４で送信された検索条件に基づいて、記憶部１２に記憶されているプレゼンス情報を検索する。プレゼンス情報決定部１１は、プレゼンス情報表示対象となるユーザのクライアント装置２に、ユーザ画像、位置情報、及び作業情報等の送信要求を行う（ステップＳ１５）。
【００５１】
プレゼンス情報表示対象ユーザのクライアント装置２の送信部２４は、サーバ装置１に、ユーザ画像、位置情報、及び作業情報等を送信する（ステップＳ１６）。
【００５２】
サーバ装置１のプレゼンス情報決定部１１は、ステップＳ１６で送信されたデータを用いて、記憶部１２のプレゼンス情報を更新する（ステップＳ１７）。
【００５３】
サーバ装置１の送信部１４は、ステップＳ１７で更新されたプレゼンス情報を、クライアント装置２に送信する（ステップＳ１８）。
【００５４】
クライアント装置２の表示部２６は、ステップＳ１８で送信されたプレゼンス情報を表示する（ステップＳ１９）。図７は、本実施の形態にかかるクライアント装置２におけるプレゼンス情報の表示の一例である。図７の例では、検索条件に合致したＸ氏、Ｙ氏の２名のユーザのプレゼンス情報が表示されている。例えば、クライアント装置２のユーザが、Ｙ氏とコミュニケーションを取りたいと考えた場合、表示部２６に表示されているＹ氏のプレゼンス情報を総合的に判断して、コミュニケーション手段を決定することができる。
【００５５】
なお、クライアント装置２の表示部２６に表示されているプレゼンス情報は、１分単位で、サーバ装置１のプレゼンス情報決定部１１及び送信部１４により更新される（ステップＳ２０）。プレゼンス情報が更新されるタイミングについては、１分単位に限らず、当業者が適宜決定することができる。
【００５６】
なお、表示部２６のプレゼンス情報の表示の仕方は、図７の例に限られない。図８は、本実施の形態にかかるクライアント装置２における検索機能を備えたプレゼンス情報の画面表示の一例である。図８の例では、所属タブ、名前タブ、場所タブが設けられており、クライアント装置２の表示部２６に、ステップＳ１４で送信された検索条件に合致したプレゼンス情報が表示された後でも、更に、同一画面から所属検索等を行うことができる。
【００５７】
また、ユーザがコンタクトをとる回数が多いユーザについては、検索結果により表示されたユーザのプレゼンス情報を、特定のユーザのプレゼンス情報のリスト（コンタクトリスト）として、表示部２６に表示できるようにしてもよい。これにより、ユーザは、頻繁にコミュニケーションする相手については、サーバ装置１の記憶部１２から検索せずにプレゼンス情報を参照できる。
【００５８】
図７のプレゼンス情報表示の例では、更に、「映像・音声を視聴」ボタンが付与されている。クライアント装置２のユーザは、Ｙ氏とウェブ会議ができるかもしれないと判断した場合には、「映像・音声を視聴」ボタンを押下することにより、更に、現在のＹ氏の映像、音声を含む動画に基づいて、ウェブ会議を開始するかどうかを判断することができる。この場合の動作方法について、図９を用いて以下に説明する。
【００５９】
図９は、本実施の形態にかかるサーバ装置１とクライアント装置２におけるウェブ会議の開始方法の一例を説明するためのシーケンス図である。ユーザＡのクライアント装置２は、表示部２６に表示されたＹ氏のプレゼンス情報の「映像・音声を視聴」ボタンの押下を受け付ける（ステップＳ２１）。
【００６０】
サーバ装置１のプレゼンス情報決定部１１は、送信部１４を介して、ユーザＡのクライアント装置２に、映像・音声の取得要求を送信する。ユーザＡのクライアント装置２は、入出力部２１を動作させて、映像と音声の取得を開始する。ユーザＡのクライアント装置２の送信部２４は、サーバ装置１に映像と音声を送信する。同様に、サーバ装置１のプレゼンス情報決定部１１は、送信部１４を介して、ユーザＹのクライアント装置２に、映像・音声の取得要求を送信する。ユーザＹのクライアント装置２は、入出力部２１を動作させて、映像と音声の取得を開始する。ユーザＹのクライアント装置２の送信部２４は、サーバ装置１に映像と音声を送信する。（ステップＳ２２）。
【００６１】
サーバ装置１の動画制御部１７は、ユーザＹのクライアント装置２から取得した映像と音声を、送信部１４を介して、ユーザＡのクライアント装置２に出力する（ステップＳ２３）。図１０は、本実施の形態にかかるクライアント装置２において、映像音声視聴ボタンが押下されたクライアント装置２の画面表示の一例である。図１０の例では、ユーザＹのクライアント装置２から取得した映像が、画面右下にポップアップウィンドウにより表示されている。また、ユーザＹのクライアント装置２から取得した音声は、ユーザＡのクライアント装置２のスピーカーから出力される。これにより、ユーザＡは、ユーザＹのプレゼンス情報として、ユーザＹの現在の状態をより詳細に示す動画を視聴することができる。
【００６２】
サーバ装置１の動画制御部１７は、ユーザＡのクライアント装置２から取得した映像と音声を、送信部１４を介して、ユーザＹのクライアント装置２に出力する（ステップＳ２４）。図１１は、本実施の形態にかかるクライアント装置２において、映像音声視聴の対象となったクライアント装置２の画面表示の一例である。図１１の例では、ユーザＡのクライアント装置２から取得した映像が、画面右下にポップアップウィンドウにより表示されている。また、「Ａさんが近くに来ました」というメッセージが、ポップアップウィンドウ上部に表示されている。これにより、ユーザＹは、ユーザＡがユーザＹとコンタクトを取ろうとしていることを認識することができる。また、ポップアップウィンドウ下部には、チャット機能が表示されており、ユーザＡとユーザＹの間で、文章によるコミュニケーションも可能となっている。また、ユーザＡのクライアント装置２から取得した音声は、ユーザＹのクライアント装置２のスピーカーから出力される。
【００６３】
なお、ユーザＹのクライアント装置２に表示されるユーザＡの映像と音声は、ユーザＡがユーザＹとコンタクトをとりたいということを、ユーザＹが認識できればよいため、ユーザＡのユーザ画像のみでもよい。
【００６４】
ユーザＡのクライアント装置２は、ウェブ会議の開始を示す入力を待ち受ける（ステップＳ２５）。ユーザＡは、ユーザＹの表情や会話を映像と音声により判断し、コミュニケーション方法を選択することができる。ユーザＡが、ユーザＹと会話ができそうだと判断をすれば、ポップアップウィンドウをダブルクリック（ウェブ会議の開始を示す入力）をすることで、すぐにウェブ会議が始められる。
【００６５】
同様に、ユーザＹのクライアント装置２は、ウェブ会議の開始を示す入力を待ち受ける（ステップＳ２６）。
【００６６】
サーバ装置１の動画制御部１７は、ステップＳ２５、又はステップＳ２６の契機により、ウェブ会議の動作を開始する。サーバ装置１の動画制御部１７は、ユーザＡのクライアント装置２に既に出力している映像と音声のフレームレート等の品質を、ウェブ会議用に変更する。同様に、サーバ装置１の動画制御部１７は、ユーザＹのクライアント装置２に既に出力している映像と音声のフレームレート等の品質を、ウェブ会議用に変更する（ステップＳ２７）。
【００６７】
なお、ユーザＡが、ユーザＹが忙しそうだと判断して、画面右下のポップアップウィンドウを閉じた場合には、ユーザＹのクライアント装置２のポップアップウィンドウの表示は、ユーザＡがユーザＹから離れたことを通知する旨のメッセージに更新される。図１２は、本実施の形態にかかるクライアント装置２において、映像音声視聴の対象となったクライアント装置２の画面表示が更新された場合の一例である。図１２の例では、「Ａさんが離れました」というメッセージに更新されている。これにより、ユーザＹは、ユーザＡがユーザＹとのウェブ会議によるコンタクトを止めた旨を認識できる。
【００６８】
本実施の形態のサーバ装置１によれば、コミュニケーション相手の詳細なプレゼンス情報を、クライアント装置２のユーザに提供することができるため、ユーザは、コミュニケーション相手の状況を容易に判断することができる。そのため、ユーザは、コミュニケーション相手の状況に応じて、ウェブ会議等のリアルタイム性の高いコミュニケーション方法と、メール等のリアルタイム性の低いコミュニケーションを使い分けることができ、より適切なコミュニケーション方法を選択することができる。
【００６９】
図１３は、本実施の形態にかかるサーバ装置１のハードウェア構成の一例である。本実施の形態のサーバ装置１は、ＣＰＵ５１などの制御装置と、ＲＯＭ（Ｒｅａｄ  Ｏｎｌｙ  Ｍｅｍｏｒｙ）５２やＲＡＭ（Ｒａｎｄｏｍ  Ａｃｃｅｓｓ  Ｍｅｍｏｒｙ）５３等の主記憶装置と、ネットワークに接続するための通信Ｉ／Ｆ５４と、ＨＤＤ（Ｈａｒｄ  Ｄｉｓｋ  Ｄｒｉｖｅ）５５や光学ドライブ５６等の外部記憶装置を備えている。ＣＰＵ５１、ＲＯＭ５２、ＲＡＭ５３、通信Ｉ／Ｆ５４、ＨＤＤ５５、及び光学ドライブ５６は、バス６１を介して、接続されている。
【００７０】
本実施の形態のサーバ装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータ・プログラム・プロダクトとして提供される。
【００７１】
また、本実施の形態のサーバ装置１で実行されるプログラムを、インターネット等のネットワークに接続されたコンピュータ上に格納し、ネットワーク経由でダウンロードさせることにより提供するように構成してもよい。また、本実施の形態のサーバ装置１で実行されるプログラムをインターネット等のネットワーク経由で提供または配布するように構成してもよい。
【００７２】
また、本実施の形態のサーバ装置１のプログラムを、ＲＯＭ等に予め組み込んで提供するように構成してもよい。
【００７３】
本実施の形態のサーバ装置１で実行されるプログラムは、上述した各部（プレゼンス情報決定部１１、プレゼンス情報検索部１３、送信部１４、受信部１５、認証部１６、及び動画制御部１７）を含むモジュール構成となっており、実際のハードウェアとしてはＣＰＵ（プロセッサ）が上記記憶媒体からプログラムを読み出して実行することにより上記各部が主記憶装置上にロードされ、プレゼンス情報決定部１１、プレゼンス情報検索部１３、送信部１４、受信部１５、認証部１６、及び動画制御部１７が主記憶装置上に生成されるようになっている。
【符号の説明】
【００７４】
１  サーバ装置
２、２ａ、２ｂ、２ｃ  クライアント装置
３  ネットワーク
１１  プレゼンス情報決定部
１２  記憶部
１３  プレゼンス情報検索部
１４  送信部
１５  受信部
１６  認証部
１７  動画制御部
２１  入出力部
２２  作業検知部
２３  位置検知部
２４  送信部
２５  受信部
２６  表示部
５１  ＣＰＵ
５２  ＲＯＭ
５３  ＲＡＭ
５４  通信Ｉ／Ｆ
５５  ＨＤＤ
５６  光学ドライブ
６１  バス
【先行技術文献】
【特許文献】
【００７５】
【特許文献１】特開２００３−２３０１１６号公報
【図１】
2014044512.tif 000003
【図２】
2014044512.tif 000004
【図３】
2014044512.tif 000005
【図４】
2014044512.tif 000006
【図５】
2014044512.tif 000007
【図６】
2014044512.tif 000008
【図７】
2014044512.tif 000009
【図８】
2014044512.tif 000010
【図９】
2014044512.tif 000011
【図１０】
2014044512.tif 000012
【図１１】
2014044512.tif 000013
【図１２】
2014044512.tif 000014
【図１３】
2014044512.tif 000015